(57)【要約】【課題】  ダイアグ表示用として高機能な表示器を車両に備えなくても、さまざまな内容のダイアグ表示が行えるようにする。【解決手段】  ダイアグ処理の結果を示す記号等を音声で表現させるべく、音声に対応する出力信号を出力するメータＥＣＵ１と、メータＥＣＵ１が出力した出力信号に応じた音声を発生させるスピーカ３と、スピーカ３が発生させた音声を取り込み、信号に変換するマイク４と、マイク４にて変換された信号をダイアグ処理の結果を示す記号等に変換して表示する表示器５とを備える。このように、ダイアグ処理の結果を音声に変換したのち、車両とは別体で構成されるマイク４および表示器５を用いてダイアグ処理の結果を表示する。【選択図】        図１
2005041335.tif 000002
【特許請求の範囲】
【請求項１】
ダイアグ処理の結果を示す記号、数字、文字もしくはこれらの組み合わせを音声で表現させるべく、各音声に対応する出力信号を出力するダイアグ信号発生手段（１）と、
前記ダイアグ信号発生手段（１）が出力した出力信号に応じた音声を発生させる音声発生手段（３）と、
前記音声発生手段（３）が発生させた音声を取り込み、信号に変換する音声信号変換手段（４）と、
前記音声信号変換手段（４）にて変換された信号を前記ダイアグ処理の結果を示す記号、数字、文字もしくはこれらの組み合わせに変換して表示する表示器（５）と、を備えていることを特徴とするダイアグ表示システム。
【請求項２】
前記ダイアグ信号発生手段（１）が発生させる前記音声に対応する出力信号は、複数の周波数の音に対応するように定義された信号であり、
前記音声発生手段（３）が発生させる音声は、前記複数の周波数の音の中から選択された異なる周波数の音を合成したものであることを特徴とする請求項１に記載のダイアグ表示システム。
【請求項３】
ダイアグ処理の結果に応じた出力信号を出力し、車両とは別体として備えられる表示器（３）にそのダイアグ処理の結果を伝えるように構成されたダイアグ信号発生装置であって、
前記ダイアグ処理の結果を示す記号、数字、文字もしくはこれらの組み合わせを音声で表現させるべく、前記音声に対応する信号を前記出力信号として出力するようになっていることを特徴とするダイアグ信号発生装置。
【請求項４】
前記出力信号は、複数の周波数の音声に対応するように定義された信号であることを特徴とする請求項３に記載のダイアグ信号発生装置。
【発明の詳細な説明】
【技術分野】
【０００１】
本発明は、ダイアグ処理での結果に応じた音声データ信号を出力するダイアグ信号発生装置、および、そのダイアグ信号発生装置による音声データ信号に基づいてダイアグ処理結果に応じた音声を発生させたのち、その音声を受け取ってダイアグ処理結果を表示するダイアグ表示システムに関するものである。
【背景技術】
【０００２】
近年、ディーラー等のサービス工場においてダイアグ処理が簡単に行えるように、自動車用計器にダイアグ処理結果の表示機能を持たせ、ダイアグ表示を行うという要望がある。このため、例えばＯＤＯメータ等をＬＣＤ（Liquid crystal display）のような高機能の表示器で構成し、ダイアグ処理時にはＯＤＯ表示の代わりにダイアグ表示が行われるようにしている（例えば、特許文献１）。
【０００３】
一方、ダイアグ診断用のスイッチが押されるとダイアグ処理を行い、その処理結果を表示器で表示したり、ユーザに音声によって警報したりする装置もある（例えば特許文献２参照）。
【特許文献１】実開昭６０−２８９８５号公報
【特許文献２】特開昭５８−６３５３７号公報
【発明の開示】
【発明が解決しようとする課題】
【０００４】
しかしながら、上記特許文献１のように高機能な表示器でダイアグ表示を行う場合、表示器が高機能になる分、表示器がコスト高になってしまうという問題がある。また、特許文献２に示されるような装置は、低機能な表示器を用いたダイアグ表示、もしくは音声を用いたダイアグ表示を行っているが、ランプを点灯させたり、警告音を発生させたりすることによって単に故障した旨の結果を示しているだけであり、複雑なダイアグ表示を行うことができるものではない。
【０００５】
本発明は上記点に鑑みて、ダイアグ表示用として高機能な表示器を車両に備えなくても、さまざまな内容のダイアグ表示が行えるダイアグ表示システムを提供することを目的とする。
また、そのダイアグ表示システムに適用され、さまざまな内容のダイアグ表示用の信号を発生させられるダイアグ信号発生装置を提供することも目的とする。
【課題を解決するための手段】
【０００６】
上記目的を達成するため、請求項１に記載の発明では、ダイアグ処理の結果を示す記号、数字、文字もしくはこれらの組み合わせを音声で表現させるべく、音声に対応する出力信号を出力するダイアグ信号発生手段（１）と、ダイアグ信号発生手段（１）が出力した出力信号に応じた音声を発生させる音声発生手段（３）と、音声発生手段（３）が発生させた音声を取り込み、信号に変換する音声信号変換手段（４）と、音声信号変換手段（４）にて変換された信号をダイアグ処理の結果を示す記号、数字、文字もしくはこれらの組み合わせに変換して表示する表示器（５）と、を備えていることを特徴としている。
【０００７】
このように、ダイアグ処理の結果を音声で出力するべく、ダイアグ信号発生手段（１）にて記号等を音声で示すための出力信号を出力させるようにしている。そして、この出力信号に基づいて音声発生手段（３）から音声を発生させ、発生させた音声を音声信号変換手段（４）で取り込んだのち、表示器（５）にてダイアグ処理結果を表示するようにしている。このようにすれば、さまざまなダイアグ処理結果を車両とは別体で備えられた表示器で表示することが可能となる。したがって、ダイアグ表示用として高機能な表示器を車両に備えなくても、さまざまな内容のダイアグ表示が行えるダイアグ表示システムとすることができる。
【０００８】
請求項２に記載の発明では、ダイアグ信号発生手段（１）が発生させる音声に対応する出力信号は、複数の周波数の音に対応するように定義された信号であり、音声発生手段（３）が発生させる音声は、複数の周波数の音の中から選択された異なる周波数の音を合成したものであることを特徴としている。
【０００９】
このように、複数の異なる周波数の音を合成することにより、ダイアグ処理の結果を示すことも可能である。
請求項３および請求項４に記載の発明は、請求項１又は２におけるダイアグ表示システムに用いられるダイアグ信号発生装置に関するものであり、このダイアグ信号発生装置により、さまざまな内容のダイアグ表示用の信号を発生させることができる。
【００１０】
なお、上記各手段の括弧内の符号は、後述する実施形態に記載の具体的手段との対応関係を示すものである。
【発明を実施するための最良の形態】
【００１１】
（第１実施形態）
本発明の一実施形態を適用したダイアグ表示システムの概略構成を図１に示す。図１に示されるように、ダイアグ表示システムは、メータＥＣＵ１、増幅器２、スピーカ３、マイク４および表示器５を備えている。これらのうち、メータＥＣＵ１、増幅器２およびスピーカ３が車両に搭載されているものであり、マイク４および表示器５はディーラーなどのサービス工場においてダイアグ処理に用いられるものである。
【００１２】
メータＥＣＵ１は、本発明におけるダイアグ信号発生手段としてのダイアグ信号発生装置に相当するものである。このメータＥＣＵ１は、ＣＰＵ、ＲＯＭ、ＲＡＭなどを備えた一般的なマイクロコンピュータで構成され、各種センサ（図示せず）からの検出信号を受け取り、ＣＰＵにて各種演算処理等を実行することで、車速表示、エンジン回転数表示、シフト位置表示、燃料残量表示、水温表示などを行うための出力を発生させるとともに、ダイアグ処理結果を表示するためのダイアグ信号を発生させるようになっている。
【００１３】
メータＥＣＵ１に備えられたＲＯＭには、ダイアグ用のＤＴＭＦ（Dual Tone Multi Frequency）データが記憶されている。ＤＴＭＦデータは、各種故障モードを表示するために用いられる記号、数字、文字もしくはこれらの組み合わせ等（以下、記号等という）をＤＴＭＦ信号として表したデータである。ＤＴＭＦ信号は、２つの周波数の音で各記号等を表せるように、２つの周波数の音を発生させるための信号となるもので、メータＥＣＵ１にて出力電圧（出力信号）に変換され、増幅器２に出力される。例えば、図２に示されるように、数字の“１”は、１２０９Ｈｚと６９７Ｈｚという２つの周波数の音の組み合わせ、数字の“２”は、１３３６Ｈｚと６９７Ｈｚという２つの周波数の音の組み合わせ等のように、各記号等に対応するＤＴＭＦ信号が規定されている。
【００１４】
また、メータＥＣＵ１は、ダイアグ処理用の信号や入力電圧に基づいてダイアグ処理を実行し、各種メータの故障検出を行うようになっている。例えば、フューエルセンサ（図示せず）での燃料残量検出が正確に行われているか否かが検出され、フューエルセンサが抵抗値式センサで構成されることから、フューエルセンサの抵抗値が燃料残量を表す通常の範囲から外れているようであればフューエルセンサが故障したものとして、その旨を示すＤＴＭＦ信号が出力されるようになっている。
【００１５】
増幅器２は、メータＥＣＵ１からの出力電圧を増幅し、スピーカ３に対して増幅した電圧を印加するものである。
【００１６】
スピーカ３は、増幅器２から印加された電圧に応じた音声を発生させるものであり、本発明における音声発生手段に相当する。例えば、車室内に備えられたオーディオ用のスピーカやメータに備えられた警報用のスピーカがスピーカ３として用いられる。
【００１７】
マイク４は、スピーカ３から発生させられた音声を受け取り、アナログ信号に変換して表示器５に伝達するものであり、本発明における音声信号変換手段に相当する。
【００１８】
表示器５は、ダイアグ処理結果を表示するものである。表示器５にはディスプレイ５ａを備えており、このディスプレイ５ａにてダイアグ処理結果が表示される。また、表示器５にはデコード回路が内蔵されており、このデコード回路により、マイク４から送られてきたアナログ信号をフィルタリングし、音声として表現されたＤＴＭＦ信号がいずれの周波数の音声の合成によって構成されているかが解読される。そして、デコード回路にて解読された記号等がディスプレイ５ａに表示され、ディスプレイ５ａの表示内容に基づいてディーラー等のサービス工場側が故障箇所や故障種類を特定できるようになっている。
【００１９】
以上のように構成されるダイアグ表示システムの作動について説明する。まず、ディーラー等のサービス工場にてダイアグ処理用の入力信号もしくは入力電圧がメータＥＣＵ１に入力されると、メータＥＣＵ１はダイアグ処理モードに切り替わり、各種メータの故障検出が行われる。
【００２０】
そして、ダイアグ処理が成されると、その処理結果を示すＤＴＭＦ信号に応じた出力電圧がメータＥＣＵ１から出力される。この出力電圧が増幅器２にて増幅され、スピーカ３に印加されて、スピーカ３からそれに応じた音声が出力される。
【００２１】
このスピーカ３からの音声をマイク４にて受け取り、アナログ信号に変換されて表示器５に伝えられる。この後、表示器５におけるデコード回路にてアナログ信号が解読され、メータＥＣＵ１が出力したＤＴＭＦ信号に対応する記号等が連続的に表示器５のディスプレイ５ａに表示される。例えば、図３に示されるように、マイク４にて音声に応じたアナログ信号が得られると、そのアナログ信号が表示器５にて順に“１”、“２”、“３”、“４”のように解読される。
【００２２】
以上説明したように、本実施形態のダイアグ表示システムでは、ダイアグ処理の結果を音声で出力するべく、メータＥＣＵ１にて記号等を音声で示すための出力信号を出力させるようにしている。このため、この出力信号に基づいてスピーカ３から音声を発生させ、発生させた音声をマイク４で取り込んだのち、表示器５にてダイアグ処理結果を表示するようにすれば、さまざまなダイアグ処理結果を記号等で表示することが可能である。したがって、ダイアグ表示用として高機能な表示器を車両に備えなくても、さまざまな内容のダイアグ表示が行えるダイアグ表示システムとすることができる。
【００２３】
また、本実施形態では、ＤＴＭＦ信号を用い、２つの異なる周波数の音声を合成してダイアグ処理結果を表現するようにしている。このため、スピーカ３から出力できる音声の周波数の種類が少なくても、それらを組み合わせることにより、より多くの種類の音声を出力することができ、より多くの記号等を表現することができる。
【００２４】
（他の実施形態）
上記第１実施形態では、メータＥＣＵ１自身で各種メータのダイアグ処理を実行する場合について説明したが、例えば、図４に示すように、メータＥＣＵ１にて、メータＥＣＵ１とは異なる他のＥＣＵ６からダイアグ処理結果を示す出力信号を受け取ったのち、その出力信号に応じたＤＴＭＦ信号を出力することで、ダイアグ処理結果を表示することも可能である。
【００２５】
また、上記第１実施形態では、ダイアグ用ＤＴＭＦデータをメータＥＣＵ１内のＲＯＭに記憶させるようにしているが、これは単なる例示であり、メータＥＣＵ１とは別体のＲＯＭまたは音声専用ＩＣなどに記憶させるようにすることも可能である。さらに、上記第１実施形態では、増幅器２とスピーカ３とを別構成とした例を示したが、これらをアンプ内蔵スピーカにて代用することも可能である。
【００２６】
さらに、上記第１実施形態では、ＤＴＭＦ信号による２つの周波数の音声の合成でダイアグ処理結果を示す記号等を表現するようにしている。しかしながら、必ずしも合成音とする必要はなく、単一の周波数の音声によってダイアグ処理結果を示す記号等を表現することも可能である。また、２つ以上の音声の合成によってダイアグ処理結果を示す記号等を表現することも可能である。
【図面の簡単な説明】
【００２７】
【図１】本発明の第１実施形態におけるダイアグ表示システムの概略構成を示す図である。
【図２】ＤＴＭＦ信号での２つの周波数の音声の組み合わせにより表現される数字や記号等を説明した図である。
【図３】マイクにて取り込んだ音声信号の波形と、それを記号等に変換したときの結果を示した図である。
【図４】他の実施形態におけるダイアグ表示システムの概略構成を示す図である。
【符号の説明】
【００２８】
１…メータＥＣＵ、２…増幅器、３…スピーカ、４…マイク、５…表示器、
６…他のＥＣＵ。
【図１】
2005041335.tif 000003
【図２】
2005041335.tif 000004
【図３】
2005041335.tif 000005
【図４】
2005041335.tif 000006